(57)【要約】【課題】被処理水中の有機系ＳＳとシルト系ＳＳとの構成比率が変動する場合であっても的確な凝集剤添加量制御を行う。【解決手段】ＳＳを含有する被処理水に凝集剤を添加し、固液分離する凝集処理方法において、被処理水を所定時間静置した後の上澄水の濁質濃度又はそれに関連する指標値を測定し、この測定結果に応じて凝集剤添加量を制御する。有機系ＳＳと無機系ＳＳとの構成比率の変動を上澄水の濁質濃度変化としてとらえ、この変化を凝集剤添加量に反映させることにより的確な制御を行える。【選択図】図１
2013141642.tif 000002
【特許請求の範囲】
【請求項１】
ＳＳを含有する被処理水に凝集剤を添加し、固液分離する凝集処理方法において、該被処理水を所定時間静置した後の上澄水の濁質濃度又はそれに関連する指標値を測定し、この測定結果に応じて前記凝集剤添加量を制御することを特徴とする凝集処理方法。
【請求項２】
請求項１において、前記濁質濃度又はそれに関連する指標値の測定値が所定値以下のときは凝集剤を定量添加し、該測定値が該所定値超のときには該測定値が大きくなるほど凝集剤添加量を多くすることを特徴とする凝集処理方法。
【請求項３】
請求項１において、更に前記被処理水の濁質濃度又はそれに関連する指標値を測定し、該被処理水の濁質濃度又はそれに関連する指標値の測定値と前記上澄水の濁質濃度又はそれに関連する指標値の測定値との差に基づいて前記凝集剤添加量を制御することを特徴とする凝集処理方法。
【請求項４】
請求項３において、前記被処理水の濁質濃度又はそれに関連する指標値の測定値と前記上澄水の濁質濃度又はそれに関連する指標値の測定値との差が所定値以下のときは凝集剤を定量添加し、該差が該所定値超のときには該差が大きくなるほど凝集剤添加量を少なくすることを特徴とする凝集処理方法。
【請求項５】
請求項１ないし４のいずれか１項において、前記被処理水中のＳＳは、無機系ＳＳ及び有機系ＳＳであることを特徴とする凝集処理方法。
【請求項６】
請求項５において、前記無機系ＳＳが粒径が０．０２ｍｍ以下のシルト系ＳＳであることを特徴とする凝集処理方法。
【請求項７】
請求項５又は６において、前記被処理水中の無機系ＳＳ濃度と有機系ＳＳ濃度との比が９０：１０〜３０：７０であることを特徴とする凝集処理方法。
【請求項８】
ＳＳを含有する被処理水に凝集剤を添加する凝集剤添加手段と、その後固液分離する固液分離手段とを有する凝集処理装置において、
該被処理水の一部を静置する静置手段と、静置した後の上澄水の濁質濃度又はそれに関連する指標値を測定する測定手段と、該測定手段の測定結果に応じて前記凝集剤添加手段の凝集剤添加量を制御する制御手段とを備えたことを特徴とする凝集処理装置。
【請求項９】
請求項８において、前記制御手段は、前記上澄水の濁質濃度又はそれに関連する指標値の測定値が所定値以下のときは凝集剤を定量添加し、該測定値が該所定値超のときには該測定値が大きくなるほど凝集剤添加量を多くする制御を行うことを特徴とする凝集処理装置。
【請求項１０】
請求項８において、前記被処理水の濁質濃度又はそれに関連する指標値を測定する測定手段を更に備え、前記制御手段は、前記被処理水の濁質濃度又はそれに関連する指標値の測定値と前記上澄水の濁質濃度又はそれに関連する指標値の測定値との差に基づいて前記凝集剤添加手段の凝集剤添加量を制御することを特徴とする凝集処理装置。
【請求項１１】
請求項１０において、前記制御手段は、前記被処理水の濁質濃度又はそれに関連する指標値の測定値と前記上澄水の濁質濃度又はそれに関連する指標値の測定値との差が所定値以下のときは凝集剤を定量添加し、該差が該所定値超のときには該差が大きくなるほど凝集剤添加量を少なくする制御を行うことを特徴とする凝集処理装置。
【発明の詳細な説明】
【技術分野】
【０００１】
本発明は、ＳＳを含有する被処理水の凝集処理方法及び装置に係り、特に、シルト系ＳＳ等の無機系ＳＳと有機系ＳＳを含む被処理水を凝集処理するに当たり、凝集剤の添加量を的確に制御する凝集処理方法及び装置に関する。
【背景技術】
【０００２】
河川水、湖沼水等の用水、あるいは下水、産業排水等の排水には、無機系及び有機系の懸濁物質（ＳＳ）が含まれており、このようなＳＳを含む水は凝集剤を添加して凝集処理した後、固液分離することにより、ＳＳを除去する処理が行われている。この凝集処理としては、無機凝集剤を用いる凝集処理、有機高分子凝集剤を用いる凝集処理、ならびに無機及び有機高分子凝集剤を用いる凝集処理がある。無機凝集剤としては硫酸バンド、塩化アルミニウム等の金属塩が用いられ、有機高分子凝集剤としてはポリアクリルアミド等が用いられている。また凝集処理に適したｐＨに調整するために、ｐＨ調整剤として、塩酸、硫酸等の酸、水酸化ナトリウム、消石灰等のアルカリが用いられている。
【０００３】
このうち無機凝集剤を用いる凝集処理（無機凝集剤及び有機高分子凝集剤を用いる凝集処理の無機凝集剤を用いる凝集部分を含む）は、被処理ＳＳ含有水中に含まれるＳＳの除去に必要な無機凝集剤を添加した後、ｐＨ調整剤を添加して凝集処理に適したｐＨに調整してフロックを形成し、沈降分離、濾過分離等の固液分離により固形分を除去し、清澄な分離水を得ている。
【０００４】
このような凝集処理の原水が、河川や湖沼などの表流水である場合、原水中には粘土性物質（シルト）、有機性物質、各種微生物や動植物プランクトン、金属性イオンや無機イオン等の物理化学変化によって不溶性化した物質を含め、様々な物質が懸濁している。しかも、原水の水質は、流域の地形や地質、気候や気象条件、利用形態、及び季節などの要因の影響で変動する。原水の濁質濃度もこれらの要因で大きく変動し、また、濁質濃度が一定であったとしても、シルト系の無機系ＳＳとその他の有機系ＳＳとの濃度比は大きく変動する。このため、このような表流水を原水とする凝集処理においては、原水の水質に応じて、凝集剤の添加量を的確に制御する必要がある。
【０００５】
従来、表流水の凝集処理における凝集剤添加量の制御方法として、特許文献１には、原水取水管に設置された濁度計により計測した濁度と、濁質濃度計により計測した濁質濃度との比に基いて凝集剤の添加量を制御する方法が提案されている。この特許文献１に記載される方法では、原水の濁度のみに基く制御では的確な制御を行えないことから、原水の濁度と濁質濃度とに基いて凝集剤の添加量制御を行っている。
【先行技術文献】
【特許文献】
【０００６】
【特許文献１】特開２００７−９８２３６号公報
【発明の概要】
【発明が解決しようとする課題】
【０００７】
前述のように、有機系ＳＳと無機系ＳＳ（主としてシルト系ＳＳ）とを含み、濁質濃度のみならず、これらの構成比率も変動する表流水を原水とする凝集処理においては、特許文献１に記載されるような原水の濁質濃度及び濁度情報に基く制御では、以下の理由により的確な制御を行えなかった。
即ち、有機系ＳＳと無機系ＳＳ（主としてシルト系ＳＳ）との構成比率が変化した場合、濁度に変化が生じなくても、適切な凝集剤添加量は変化する。具体的には、有機系ＳＳの割合が多くなると、凝集剤添加量を多くしないと、凝集処理水の水質が悪化する。原水の濁質濃度と濁度に基づいて凝集剤添加量を制御する特許文献１の方法では、原水中の有機系ＳＳと無機系ＳＳとの構成比率の変動に追従した凝集剤添加量制御を行うことができず、良好な水質の凝集処理水を安定して得ることができない。
本発明は、被処理水中の有機系ＳＳとシルト系ＳＳとの構成比率が変動する場合であっても的確な凝集剤添加量制御を行うことができる凝集処理方法及び装置を提供することを課題とする。
【課題を解決するための手段】
【０００８】
本発明者らは上記課題を解決すべく鋭意検討を重ねた結果、被処理水を所定時間静置した後の上澄水の濁質濃度又はそれに関連する指標値を測定し、この測定結果に応じて凝集剤添加量を制御することにより、有機系ＳＳと無機系ＳＳとの構成比率の変動をこの上澄水の濁質濃度変化としてとらえ、この変化を凝集剤添加量に反映させることにより的確な制御を行えることを見出した。
【０００９】
本発明はこのような知見に基いて達成されたものであり、以下を要旨とする。
【００１０】
［１］  ＳＳを含有する被処理水に凝集剤を添加し、固液分離する凝集処理方法において、該被処理水を所定時間静置した後の上澄水の濁質濃度又はそれに関連する指標値を測定し、この測定結果に応じて前記凝集剤添加量を制御することを特徴とする凝集処理方法。
【００１１】
［２］  ［１］において、前記濁質濃度又はそれに関連する指標値の測定値が所定値以下のときは凝集剤を定量添加し、該測定値が該所定値超のときには該測定値が大きくなるほど凝集剤添加量を多くすることを特徴とする凝集処理方法。
【００１２】
［３］  ［１］において、更に前記被処理水の濁質濃度又はそれに関連する指標値を測定し、該被処理水の濁質濃度又はそれに関連する指標値の測定値と前記上澄水の濁質濃度又はそれに関連する指標値の測定値との差に基づいて前記凝集剤添加量を制御することを特徴とする凝集処理方法。
【００１３】
［４］  ［３］において、前記被処理水の濁質濃度又はそれに関連する指標値の測定値と前記上澄水の濁質濃度又はそれに関連する指標値の測定値との差が所定値以下のときは凝集剤を定量添加し、該差が該所定値超のときには該差が大きくなるほど凝集剤添加量を少なくすることを特徴とする凝集処理方法。
【００１４】
［５］  ［１］ないし［４］のいずれかにおいて、前記被処理水中のＳＳは、無機系ＳＳ及び有機系ＳＳであることを特徴とする凝集処理方法。
【００１５】
［６］  ［５］において、前記無機系ＳＳが粒径が０．０２ｍｍ以下のシルト系ＳＳであることを特徴とする凝集処理方法。
【００１６】
［７］  ［５］又は［６］において、前記被処理水中の無機系ＳＳ濃度と有機系ＳＳ濃度との比が９０：１０〜３０：７０であることを特徴とする凝集処理方法。
【００１７】
［８］  ＳＳを含有する被処理水に凝集剤を添加する凝集剤添加手段と、その後固液分離する固液分離手段とを有する凝集処理装置において、該被処理水の一部を静置する静置手段と、静置した後の上澄水の濁質濃度又はそれに関連する指標値を測定する測定手段と、該測定手段の測定結果に応じて前記凝集剤添加手段の凝集剤添加量を制御する制御手段とを備えたことを特徴とする凝集処理装置。
【００１８】
［９］  ［８］において、前記制御手段は、前記上澄水の濁質濃度又はそれに関連する指標値の測定値が所定値以下のときは凝集剤を定量添加し、該測定値が該所定値超のときには該測定値が大きくなるほど凝集剤添加量を多くする制御を行うことを特徴とする凝集処理装置。
【００１９】
［１０］  ［８］において、前記被処理水の濁質濃度又はそれに関連する指標値を測定する測定手段を更に備え、前記制御手段は、前記被処理水の濁質濃度又はそれに関連する指標値の測定値と前記上澄水の濁質濃度又はそれに関連する指標値の測定値との差に基づいて前記凝集剤添加手段の凝集剤添加量を制御することを特徴とする凝集処理装置。
【００２０】
［１１］  ［１０］において、前記制御手段は、前記被処理水の濁質濃度又はそれに関連する指標値の測定値と前記上澄水の濁質濃度又はそれに関連する指標値の測定値との差が所定値以下のときは凝集剤を定量添加し、該差が該所定値超のときには該差が大きくなるほど凝集剤添加量を少なくする制御を行うことを特徴とする凝集処理装置。
【発明の効果】
【００２１】
本発明によれば、被処理水を所定時間静置した後の上澄水の濁質濃度又はそれに関連する指標値を測定し、この測定結果に応じて凝集剤添加量を制御することにより、被処理水中の有機系ＳＳと無機系ＳＳとの構成比率の変動に十分に対応して的確な凝集剤の添加量制御を行うことができる。即ち、被処理水を所定時間静置すると、被処理水中のＳＳのうち、比較的比重の大きいシルト系ＳＳ等の無機系ＳＳは沈降する。このときの上澄水の濁質濃度は、主として被処理水の有機系ＳＳに由来する濁質濃度を反映するものとなる。従って、この上澄水の濁質濃度の変動により、被処理水の有機系ＳＳの変動、ひいては有機系ＳＳとシルト系ＳＳ等の無機系ＳＳの構成比率の変動を把握することができ、この値に基いて的確な凝集剤の添加量制御を行うことが可能となる。
【００２２】
本発明における凝集剤添加量の制御方法としては、具体的には、被処理水を所定時間静置した後の上澄水の濁質濃度又はそれに関連する指標値の測定値が所定値以下のときは凝集剤を定量添加し、前記濁質濃度又はそれに関連する指標値の測定値が該所定値超のときには該測定値が大きくなるほど凝集剤添加量を多くする方法が挙げられる。
また、あわせて被処理水の濁質濃度又はそれに関連する指標値も測定し、被処理水の濁質濃度又はそれに関連する指標値の測定値と被処理水を所定時間静置した後の上澄水の濁質濃度又はそれに関連する指標値の測定値との差に基づいて凝集剤添加量を制御するようにしてもよく、この場合には、具体的には、被処理水の濁質濃度又はそれに関連する指標値の測定値と被処理水を所定時間静置した後の上澄水の濁質濃度又はそれに関連する指標値の測定値との差が所定値以下のときは凝集剤を定量添加し、この差が該所定値超のときには該差が大きくなるほど凝集剤添加量を少なくする方法を採用することができる。
【図面の簡単な説明】
【００２３】
【図１】本発明の凝集処理方法及び装置の実施の形態の一例を示す系統図である。
【図２】本発明の凝集処理方法及び装置の実施の形態の他の例を示す系統図である。
【図３】本発明における凝集剤添加量の制御方法の一例を示すグラフである。
【図４】本発明における凝集剤添加量の制御方法の他の例を示すグラフである。
【図５】実施例１及び比較例１で処理した原水１，２の上澄水の濁度の経時変化を示すグラフである。
【発明を実施するための形態】
【００２４】
以下、図面を参照して本発明の凝集処理方法及び装置の実施の形態を詳細に説明する。なお、以下においては、被処理水、及び被処理水を所定時間静置した後の上澄水の濁質濃度又はそれに関連する指標値として、「濁度」を測定した場合を例示するが、本発明において、「濁質濃度又はそれに関連する指標値」としては、濁度に限らず、ＵＶ吸光度、色度等の１種又は２種以上を採用することができる。ただし、測定装置が簡易で、迅速かつ的確な測定が可能であることから、濁度計により濁度を測定することが好ましい。
【００２５】
図１，２は本発明の凝集処理方法及び装置の実施の形態の一例を示す系統図であり、図３，４は本発明における凝集剤添加量の制御方法の一例を示すグラフである。
【００２６】
図１，２においては、配管１１から導入されるＳＳを含有する被処理水（以下「原水」と称す。）に、配管１２より凝集剤を添加して凝集槽４で反応させ、次いで沈殿槽１で固液分離し、分離水を配管１３より処理水として取り出し、分離汚泥を配管１４より系外へ抜き出す。
【００２７】
図１においては、配管１１から導入される原水の一部をバルブＶ１を備える分岐配管１５で抜き出して貯槽２に所定量導入して所定時間静置し、上澄水の濁度（以下、原水を所定時間静置した後の上澄水の濁度の測定値を「濁度Ｄ１」又は「Ｄ１」と称す。）を濁度計２１で測定する。一方、原水の濁度（以下、原水の濁度の測定値を「濁度Ｄ２」又は「Ｄ２」と称す。）を濁度計２２で測定する。濁度計２１及び濁度計２２の測定値は制御器３に入力され、この制御器３から、配管１２に設けられた凝集剤の注入ポンプ２３の制御信号が出力される。
【００２８】
図１の実施形態では、上澄水の濁度はバッチ式で測定され、バルブＶ１を開として、原水の所定量を配管１５より貯槽２に導入した後は、バルブＶ１を閉とし、貯槽２内で原水を所定時間静置して濁度を測定する。その後、バルブＶ２を開として配管１６より貯槽２内の原水を排出する。この排出した原水は、配管１１側に戻して処理してもよく、また、少量であって、放流可能な水であれば放流してもよい。
貯槽２内の原水を排出した後は、バルブＶ２を閉とし、次回の測定時に再度バルブＶ１を開として原水の所定量を貯槽２に導入して所定時間静置し、上澄水の濁度を測定する。
【００２９】
図２に示す実施形態は、原水を静置するための貯槽として、原水流方向に長い貯槽２Ａを用い、原水の濁度と上澄水の濁度の連続測定を可能としたものであり、図２において、図１に示す部材と同一機能を奏する部材には同一符号を付してある。
【００３０】
即ち、図２においては、バルブＶ１及びＶ２は常時開とされ、少量の原水が配管１５より貯槽２Ａの一端側（入口側）から導入され、長さの長い桶状の貯槽２Ａを排出配管１６が設けられた他端側へごく小さな流速で移動する。原水中のＳＳはこの貯槽２Ａ内を一端側（入口側）から低速移動する間に徐々に沈降し、貯槽２Ａの他端側（出口側）では、あたかも貯槽内に所定時間静置されたときのような状態となる。即ち、本発明において、「静置」とは、図２に示すような擬似的な静置を包含するものであり、必ずしも水の流動が全くないものに限定されるものではない。従って、この貯槽２Ａの入口側の濁度を濁度計２２で測定することにより原水の濁度に相当する測定値を得ることができ、出口側の濁度を濁度計２１で測定することにより、原水を所定時間静置したときの上澄水の濁度に相当する測定値を得ることができる。
従って、この濁度計２１，２２の測定値に基いて、図１に示す実施態様と同様にして凝集剤の添加量制御を行うことができる。
【００３１】
本発明において、被処理水を所定時間静置した後の上澄水の濁質濃度又はそれに関連する指標値を測定するために原水を静置する「所定時間」は、これ以上静置しても上澄水の濁質濃度に変化が見られない時間とすることが好ましく、原水の水質に応じて適宜設定されるが、表流水又はそのＵＦ膜濃縮水を原水とする場合、一般的には、後掲の図５に示されるように、原水を５〜２０分程度静置すると、上澄水の濁度は安定するため、この静置時間は５〜１５分程度とすることが好ましい。この静置時間が短か過ぎると凝集剤の添加量制御に有効な上澄水の濁質濃度又はそれに関連する指標値の測定値を得ることができず、長過ぎると測定に長時間を要し、好ましくない。
従って、図２の貯槽２Ａにおいては、このような静置時間に対応する滞留時間が得られるように、貯槽２Ａの長さを設定すればよい。
【００３２】
また、濁度の測定及びそれに基く凝集剤添加量の制御の頻度は、原水の水質変動の程度によって適宜決定されるが、一般的な表流水の処理においては、０．５〜１２時間に１回の頻度で行うことが好ましい。
【００３３】
原水を所定時間静置した後の上澄水（以下、単に「上澄水」と称す。）の濁度Ｄ１に基く凝集剤添加量の制御方法は、この上澄水の濁度Ｄ１は、無機系ＳＳ、特にシルト系ＳＳが沈降した後の原水中の有機系ＳＳに基く濁度を反映するものであるため、濁度Ｄ１が大きい程凝集剤添加量を多くするようにすることが好ましく、例えば、図３に示すように、Ｄ１が所定値Ａ以下のときは凝集剤を定量添加とし、Ｄ１が所定値Ａを超える場合には、Ｄ１が大きくなる程凝集剤添加量が多くなるようにすることが好ましい。
例えば、以下のような式に従って、凝集剤の添加量を制御する方法が挙げられる。
凝集剤の添加量（ｍｇ／Ｌ）＝Ｇ１＋（Ｄ１−Ａ）×ｇ１
ここで、Ｇ１，Ａ，ｇ１は、原水の水質、用いる凝集剤の種類にもよるが、例えば無機凝集剤を用いた表流水の凝集処理においては、Ａは５０〜２５０（ＮＴＵ）の範囲で設定され、Ｇ１は４０〜２００ｍｇ／Ｌの範囲で設定され、ｇ１は０．１〜１の範囲で設定されることが好ましい。
【００３４】
また、上澄水の濁度のみならず、原水の濁度の変動も大きい場合には、原水の濁度の測定値も加味して凝集剤の添加量制御を行うことが好ましく、この場合には、図４に示すように、原水の濁度Ｄ２と上澄水の濁度Ｄ１の差（Ｄ２−Ｄ１）を求め、この差が所定値Ｂ以下の場合には、原水のＳＳ中にシルト系ＳＳ等の無機系ＳＳが少なくその殆どが有機系ＳＳであると判断して凝集剤を定量添加し、この差が所定値Ｂを超える場合には、この差が大きくなる程、ＳＳ中の有機系ＳＳの構成比率が小さくなることから、凝集剤添加量を少なくするように制御することが好ましい。
例えば、以下のような式に従って、凝集剤の添加量を制御する方法が挙げられる。
凝集剤の添加量（ｍｇ／Ｌ）＝Ｇ２−（Ｄ２−Ｄ１＋Ｂ）×ｇ２
ここで、Ｇ２，Ｂ，ｇ２は、原水の水質、用いる凝集剤の種類にもよるが、例えば無機凝集剤を用いた表流水の凝集処理においては、Ｂは０〜５０（ＮＴＵ）の範囲で設定され、Ｇ２は３００〜１０００ｍｇ／Ｌの範囲で設定され、ｇ２は０．１〜０．３の範囲で設定されることが好ましい。
【００３５】
なお、図１，２は本発明の実施形態の一例を示すものであり、本発明はその要旨を超えない限り何ら図示のものに限定されるものではない。
例えば、原水の濁度の変動が小さい場合、原水の濁度を測定する濁度計２２は省略することができる。また、凝集剤は図１，２のように配管注入する他、凝集処理槽を設け、凝集処理槽に添加するようにすることもできる。また、凝集処理水の固液分離は、沈殿槽に限らず、膜分離装置や濾過器、浮上分離装置などを用いることもできる。更に、無機凝集剤と共に有機高分子凝集剤を用いる凝集処理であってもよく、また、原水には適宜ｐＨ調整剤を添加することができる。
【００３６】
本発明において、凝集処理する原水としては、ＳＳとしてシルト系ＳＳ等の無機系ＳＳと有機系ＳＳとを含む、前述の表流水が好ましい。ここでシルト系ＳＳとは、粒径が０．０２ｍｍ以下、例えば０．００２〜０．０２ｍｍ程度の微細な土壌粒子である。また、シルト系ＳＳが１００ｍｇ／Ｌ以上含まれると従来の方式の凝集制御は困難なので、本発明は原水がシルト系ＳＳを１００ｍｇ／Ｌ以上含む場合に特に好適に実施することができる。
【００３７】
このような原水に添加する凝集剤としては、ポリ塩化アルミニウム、硫酸アルミニウム等のアルミニウム系凝集剤、塩化第二鉄、ポリ硫酸鉄等の鉄系凝集剤などの無機凝集剤の１種又は２種以上が挙げられる。これらの無機凝集剤による凝集処理に当っては、必要に応じて酸又はアルカリを添加して、各々の凝集剤に適当なｐＨにｐＨ調整することが好ましい。
【実施例】
【００３８】
以下に実施例及び比較例を挙げて本発明をより具体的に説明する。
【００３９】
［実施例１，比較例１］
濁度は同一で、シルト系ＳＳを主体とする無機系ＳＳと有機系ＳＳとの構成比率が以下の通り異なる原水１と原水２とに、塩化第二鉄（ＦｅＣｌ３）を添加してｐＨ５．５で凝集処理を行い、沈殿槽で固液分離した。  
原水１：有機系ＳＳ６０％，無機系ＳＳ４０％（シルト系ＳＳ１００ｍｇ／Ｌ）
原水２：有機系ＳＳ２０％，無機系ＳＳ８０％（シルト系ＳＳ２００ｍｇ／Ｌ）
各原水を静置したときの上澄水の濁度の経時変化は図５に示す通りである。
【００４０】
実施例１では、５分静置後の上澄水の濁度が１７００ＮＴＵの原水１にはＦｅＣｌ３を４００ｍｇ／Ｌ添加し、５分静置後の上澄水の濁度が１００ＮＴＵの原水２にはＦｅＣｌ３を１００ｍｇ／Ｌ添加した。
比較例１では、原水１も原水２も濁度が同一であることから、これらの原水にそれぞれＦｅＣｌ３を１００ｍｇ／Ｌ添加した。
その結果、実施例１では、原水１でも原水２でも処理水（沈殿槽固液分離水）の濁度は１〜２ＮＴＵで良好な結果が得られた。
一方、比較例１では、原水２の処理では問題はなかったが、原水１の処理では処理水濁度は８〜１０ＮＴＵであり、良好な結果は得られなかった。
【００４１】
［実施例２］
原水濁度が２００〜２０００ＮＴＵで変化し、また、原水を５分間静置したときの上澄水の濁度が５０〜２０００ＮＴＵで変化する表流水のＵＦ膜濃縮水に対して、３０分に１回の頻度で上澄水濁度Ｄ１を測定し、その測定結果に基いて、下記式に従って凝集剤の添加量制御を行ったこと以外は実施例１と同様に処理を行った。
＜Ｄ１≦２５０ＮＴＵのとき＞
凝集剤添加量＝１５０ｍｇ／Ｌ（定量添加）
＜Ｄ１＞２５０ＮＴＵのとき＞
凝集剤添加量＝｛１５０＋（Ｄ１−２５０）×０．２｝ｍｇ／Ｌ
その結果、原水濁度、上澄水濁度の変動があっても、濁度１〜２ＮＴＵの処理水を安定して得ることができた。
【００４２】
［実施例３］
原水濁度が２００〜２０００ＮＴＵで変化し、また、原水を５分間静置したときの上澄水の濁度が５０〜２０００ＮＴＵで変化する表流水のＵＦ膜濃縮水に対して、３０分に１回の頻度で原水濁度Ｄ２と上澄水濁度Ｄ１を測定し、その測定結果に基いて、下記式に従って凝集剤の添加量制御を行ったこと以外は実施例１と同様に処理を行った。
＜Ｄ２−Ｄ１≦０ＮＴＵのとき＞
凝集剤添加量＝４００ｍｇ／Ｌ（定量添加）
＜Ｄ２−Ｄ１＞０ＮＴＵのとき＞
凝集剤添加量＝｛４００−（Ｄ２−Ｄ１＋２０）×０．１４｝ｍｇ／Ｌ
その結果、原水濁度、上澄水濁度の変動があっても、濁度１〜２ＮＴＵの処理水を安定して得ることができた。
【符号の説明】
【００４３】
１  沈殿槽
２，２Ａ  貯槽
３  制御器
４  凝集槽
２１，２２  濁度計
【図１】
2013141642.tif 000003
【図２】
2013141642.tif 000004
【図３】
2013141642.tif 000005
【図４】
2013141642.tif 000006
【図５】
2013141642.tif 000007